【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
Ｃ４／Ｃ５オレフィン留分のプロピレンおよびガソリンへの転化方法であって、
１）ジオレフィンおよびアセチレン不純物のレベルが１０００ｐｐｍより高い場合に、Ｎｉ、ＰｄおよびＰｔによって形成される群から選ばれる少なくとも１種の金属を非酸耐火性酸化物担体上に担持されて含む少なくとも１種の触媒を用いて前記留分を選択的に液相水素化して、多くとも１０００ｐｐｍの不飽和物含有量を有する流出物を得る段階と、
２）段階（１）からの流出物の少なくとも一部のイソオレフィンを選択的にオリゴマー化し、その後に蒸留して、ガソリンフラクションと、１０重量％未満のイソブテンを含有する少なくとも１つの残りの留分とを得る段階と、
３）段階（２）の残りの留分の少なくとも一部について単一段階で操作して、形状選択性を有し、Ｓｉ／Ａｌ原子比が５０〜５００である少なくとも１種のゼオライトを含む触媒を用いて、ｎ−オレフィンをオリゴクラッキングし、その後に分離を行って、ガソリンフラクション、プロピレンおよび残留Ｃ４／Ｃ５留分を得る段階と
の連続段階を包含する、方法。
【請求項２】
選択的オリゴマー化段階において用いられる触媒は、シリカ−アルミナタイプの酸触媒であり、そのシリカ含有量は６０〜９５重量％であり、添加物として０．１〜５重量％の酸化亜鉛を有する、請求項１に記載の方法。
【請求項３】
選択的オリゴマー化段階において用いられる操作条件は、
−  温度：２０〜９５℃；
−  圧力：１０〜５０ｂａｒ；
−  触媒の質量単位当たりの装入原料の容積流量：０．０５〜５ｈ−１
である、請求項１または２に記載の方法。
【請求項４】
オリゴクラッキング段階において用いられる触媒は、形状選択性を有するゼオライトであり、このゼオライトのＳｉ／Ａｌ比は７５〜１５０であることを特徴とする請求項１〜３のいずれか１つに記載の方法。
【請求項５】
オリゴクラッキング段階において用いられる触媒のゼオライトは、ＭＥＬ、ＭＦＩ、ＮＥＳ、ＥＵＯ、ＦＥＲ、ＣＨＡ、ＭＦＳおよびＭＷＷタイプのゼオライトによって形成される群から選ばれることを特徴とする請求項１〜４のいずれか１つに記載の方法。
【請求項６】
ゼオライトはＺＳＭ−５である、請求項５に記載の方法。
【請求項７】
オリゴクラッキング段階において用いられる触媒のゼオライトは、ＮＵ−８５、ＮＵ−８６、ＮＵ−８８およびＩＭ−５ゼオライトによって形成される群から選ばれることを特徴とする請求項１〜４のいずれか１つに記載の方法。
【請求項８】
オリゴクラッキング段階は、１〜３ｍｍの径を有する球の形態の触媒を有する移動床で操作する装置によって実施される、請求項１〜７にいずれか１つに記載の方法。
【請求項９】
オリゴクラッキングの段階（３）からの残留Ｃ４／Ｃ５留分は、少なくとも一部、オリゴマー化の段階（２）に再循環させられる、請求項１〜８のいずれか１つに記載の方法。
【請求項１０】
オリゴクラッキングの段階（３）からの残留Ｃ４／Ｃ５留分は、少なくとも一部、オリゴクラッキングの段階（３）に再循環させられる、請求項１〜９のいずれか１つに記載の方法。
【請求項１１】
オリゴクラッキングの段階（３）からの残留Ｃ４／Ｃ５留分は、少なくとも一部、オリゴクラッキングの段階および／または選択的オリゴマー化段階に、選択的オリゴマー化段階に入る装入原料に対する流量比１〜５で再循環させられる、請求項１〜１０のいずれか１つに記載の方法。
【請求項１２】
選択的オリゴマー化段階からのガソリンフラクションは、オリゴクラッキング段階からのガソリンフラクションと混合されて、少なくとも９４に等しいＲＯＮを有するガソリンが得られる、請求項１〜１１のいずれか１つに記載の方法。
【請求項１３】
オリゴクラッキング段階からのガソリンフラクションは、少なくとも一部、芳香族の抽出に付される、請求項１〜１２のいずれか１つに記載の方法。
【請求項１４】
段階（１）においてスチームクラッキングからのＣ４／Ｃ５オレフィン留分が処理され、段階（２）において、段階（１）からの流出物の少なくとも一部および接触分解からのＣ４／Ｃ５オレフィン留分が処理される、請求項１〜１３のいずれか１つに記載の方法。
【請求項１５】
段階（１）の触媒は、アルミナおよびＰｄによって構成される、請求項１〜１４のいずれか１つに記載の方法。
【請求項１６】
設備であって、
−  選択的水素化装置であって、Ｎｉ、ＰｄおよびＰｔによって形成される群から選ばれる少なくとも１種の金属を非酸耐火性酸化物担体上に担持されて含む少なくとも１種の触媒を含み、処理されるべきＣ４／Ｃ５オレフィン留分および水素の導入用および流出物の排出用の導管が取り付けられた、装置と、
−  イソオレフィンの選択的オリゴマー化のための装置であって、乾燥装置と、脱硫装置と、少なくとも１種の選択的オリゴマー化の酸触媒を含有する反応装置とを連続して含み、前記連続装置間の流出物の通過用、水素化装置からの流出物の少なくとも一部の導入用、および流出物の排出用の導管が取り付けられた、装置と、
−  ガソリンフラクションと少なくとも１種の残りの留分を分離する蒸留塔と、
−  ｎ−オレフィンのオリゴクラッキングのための装置であって、形状選択性を有し、Ｓｉ／Ａｌ原子比が５０〜５００である少なくとも１種のゼオライトを含む触媒を含み、オリゴマー化流出物の蒸留からの残りの留分の少なくとも一部の導入用および流出物の排出用の導管が取り付けられた、装置と、
−  ガソリンフラクション、プロピレンおよび残留Ｃ４／Ｃ５留分を分離する蒸留塔と、
−  前記残留Ｃ４／Ｃ５留分の少なくとも一部の、オリゴマー化装置またはオリゴクラッキング装置への再循環用の導管と、
−  オリゴマー化およびオリゴクラッキング装置からのガソリンフラクションを混合するための帯域と
を含む設備。
【請求項１７】
前記水素化装置は、装入原料の下降流による固定床反応器と、得られた流出物を前記流出物および水素の上昇並流による第２の固定床反応器に搬送する導管とを含む、請求項１６に記載の設備。
【請求項１８】
芳香族抽出装置をさらに含み、該芳香族抽出装置には、オリゴクラッキング流出物の導入用の導管および脱芳香族化されたガソリンの排出用の導管が取り付けられている、請求項１６または１７に記載の設備。
【手続補正２】
【補正対象書類名】明細書
【補正対象項目名】０００１
【補正方法】変更
【補正の内容】
【０００１】
本発明は、炭化水素装入原料のプロピレンへの少なくとも部分的な転化を可能にする方法であって、該炭化水素装入原料は、炭素数が大部分について４または５に等しいオレフィンを含み、この留分（本明細書の以降の記載ではＣ４／Ｃ５留分と称されることになる）は、ほとんどの場合、ＦＣＣ装置またはスチームクラッキング装置に由来するものである、方法に関する。
【手続補正３】
【補正対象書類名】明細書
【補正対象項目名】００２１
【補正方法】変更
【補正の内容】
【００２１】
（本発明の要約）
本発明は、Ｃ４／Ｃ５オレフィンのＣ４／Ｃ５留分を、プロピレンおよびガソリンに転化する方法であって、下記連続段階：
１）ジオレフィンおよびアセチレン不純物のレベルが１０００ｐｐｍより大きい場合に、Ｎｉ、ＰｄおよびＰｔによって形成される群から選択される少なくとも１種の金属を非酸耐火性酸化物担体上に担持されて含む少なくとも１種の触媒を用いて前記留分を選択的に液相水素化して、多くとも１０００ｐｐｍの不飽和含有量を有する流出物を得る；
２）段階（１）からの流出物の少なくとも一部のイソオレフィンを選択的にオリゴマー化し、その後に蒸留して、ガソリンフラクションおよび１０重量％未満のイソブテンを含有する少なくとも１種の残りの留分を得る；および
３）段階（２）の残りの留分の少なくとも一部についての、形状選択性および５０〜５００のＳｉ／Ａｌ原子比を有する少なくとも１種のゼオライトを含む触媒を用いてｎ−オレフィンをオリゴクラッキングし（単一段階で作動する）、その後に分離して、ガソリンフラクション、プロピレンおよび残留Ｃ４／Ｃ５留分を得る
を包含する方法に関する。
【手続補正４】
【補正対象書類名】明細書
【補正対象項目名】００２６
【補正方法】変更
【補正の内容】
【００２６】
本発明はまた、設備であって、
−  Ｎｉ、ＰｄおよびＰｔによって形成される群から選択される少なくとも１種の金属を非酸耐火酸化物担体上に担持されて含む少なくとも１種の触媒を含む選択的水素化装置であって、処理されるべきＣ４／Ｃ５オレフィン留分および水素の導入用および流出物の排出用の導管が取り付けられた装置と、
−  イソオレフィンの選択的オリゴマー化のための装置であって、乾燥装置と、脱硫装置と、少なくとも１種の酸の選択的オリゴマー化触媒を含む反応装置とを連続的に含み、前記連続装置間の流出物の通過用、水素化装置からの流出物の少なくとも一部の導入用および流出物の排出用の導管が取り付けられた装置と、
−  ガソリンフラクションと少なくとも１種の残り留分を分離する蒸留塔と、
−  ｎ−オレフィンをオリゴクラッキングするための装置であって、形状選択性および５０〜５００のＳｉ／Ａｌ原子比を有する少なくとも１種のゼオライトを含む触媒を含み、オリゴマー化流出物の蒸留からの残り留分の少なくとも一部の導入用および流出物の排出用の導管が取り付けられた装置と、
−  ガソリンフラクション、プロピレンおよび残留Ｃ４／Ｃ５留分を分離する蒸留塔と、
−  前記残留Ｃ４／Ｃ５留分の少なくとも一部をオリゴマー化装置またはオリゴクラッキング装置に再循環させる導管と、
−  オリゴマー化およびオリゴクラッキング装置からのガソリンフラクションを混合するための帯域と
を含むものに関する。
【手続補正５】
【補正対象書類名】明細書
【補正対象項目名】００３４
【補正方法】変更
【補正の内容】
【００３４】
オリゴクラッキング装置（ｃ）は、蒸留塔（ｄ’）での分離後に、
−  頂部における、エチレンリッチな軽質留分（７）；
−  プロピレンリッチな流出物（６）；
−  大部分が飽和化合物によって構成されるＣ４およびＣ５炭化水素を含有する中間フラクション（８）：このフラクションの少なくとも一部は、流れ（５）によってオリゴクラッキング装置への導入口に再循環させられる；および
−  底部における、芳香族およびオレフィン化合物を含む重質流出物（９）：このものの沸点は、ガソリンの範囲、すなわち、典型的には２０〜２５０℃の範囲に位置付けられる
を生じさせる。